(57)【特許請求の範囲】
【請求項１】
発射装置を操作するために遊技者によって回動操作されるリングと前記リングを回転可能に支持する基筒とを備えて弾球遊技機に装着される発射ハンドルにおいて、
前記リングを透光性として、
該リングの内側に発光ダイオードを配し、
前記発光ダイオードが実装された基板が、前記発光ダイオードが実装されている面を前記弾球遊技機の本体に向ける姿勢で、前記リングの内側に配され、前記リングを回転させても変位しない箇所に固定されている
ことを特徴とする発射ハンドル。
【請求項２】
前記基筒に支持され、前記リングの前方を覆うキャップと、
該キャップの内側に配されたキャップ用の発光ダイオードと、
前記基板の前方に配され、前記キャップ用発光ダイオードから照射される光を前記キャップの内面へ向けて反射するリフレクタと、を備えている
ことを特徴とする請求項１記載の発射ハンドル。
【発明の詳細な説明】
【技術分野】
【０００１】
本発明は、パチンコ機等の弾球遊技機の技術分野に属する。
【背景技術】
【０００２】
パチンコ機等の弾球遊技機では、発射装置にて遊技球を発射して遊技盤の遊技領域に打ち出し、その遊技球の遊技領域における挙動によって遊技が行われる。
発射装置による発射力の強弱は遊技者によって操作されるのが普通であり、そのための発射ハンドルが弾球遊技機に備わっている。
【０００３】
特開２００６−２６４４４号公報（特許文献１）には、その発射ハンドルを電飾としても活用しようとする技術が提案されている。
【特許文献１】特開２００６−２６４４４号公報
【発明の開示】
【発明が解決しようとする課題】
【０００４】
特許文献１の発射ハンドルは、遊技者の掌が押し当てられるキャップを半透明な合成樹脂製として、そのキャップ内に配した発光ダイオードの光でキャップを光らせる構成になっている。つまり、キャップが発光するものの、使用時にはキャップの大部分が遊技者の手に隠れてしまうので、電飾効果は低かった。
【課題を解決するための手段】
【０００５】
請求項１記載の発射ハンドルは、
発射装置を操作するために遊技者によって回動操作されるリングと前記リングを回転可能に支持する基筒とを備えて弾球遊技機に装着される発射ハンドルにおいて、
前記リングを透光性として、該リングの内側に発光ダイオードを配した構成を採用しているので、遊技者によって回動操作されるリングを発光させることができる。リングには遊技者の指が掛けられるが指に隠れない部分も多いから、充分な電飾効果が得られる。
【０００６】
また、請求項１記載の発射ハンドルは、前記発光ダイオードが実装された基板が、前記発光ダイオードが実装されている面を弾球遊技機の本体に向ける姿勢で、前記リングの内側に配され、前記リングを回転させても変位しない箇所に固定されている構成を採用している。
【０００７】
発光ダイオードが実装された基板がリングの内側に配されているので、発射ハンドルの内部空間を有効に利用できる。また、基板は、発光ダイオードが実装されている面を弾球遊技機の本体に向ける姿勢で配されているので、発光ダイオードからの光がリングの内側に照射されることになる。リングの内側に照射された光は、リングを透過してリングの外面から放射されるので、リングのほぼ全面を光らせることができる。
請求項２記載の発射ハンドルは、請求項１記載の発射ハンドルにおいて、前記基筒に支持され、前記リングの前方を覆うキャップと、該キャップの内側に配されたキャップ用の発光ダイオードと、前記基板の前方に配され、前記キャップ用発光ダイオードから照射される光を前記キャップの内面へ向けて反射するリフレクタと、を備えている構成を採用している。なお、ここでは、当該発射ハンドルが遊技機に取り付けられた際に、遊技機に対して発射ハンドルが位置する方向を「前方」としている（図１（ｃ）の左方向が相当）。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の発射ハンドル１は、基筒２、回動部３、キャップ４の３部分に大別できる。
【０００９】
合成樹脂（例えばＡＢＳ）の成形品である基筒２は、直管状の基部５と膨らみ形状のリング隣接部６とを連接した構造である。基部５のリング隣接部６とは反対側の端は開口しており、基部５の内部には軸受７が設けられている。リング隣接部６には、その外面に開口し内部に突出したビス通筒部８が立設されている。また、リング隣接部６にはストップスイッチ９が取り付けられている。
【００１０】
回動部３は透光性の合成樹脂（例えばポリカーボネート）の成形品である。
回動部３にはリング１０が備わっている。リング１０の外周部には波状に凹凸した指掛け１１が設けられている。リング１０の内周部１２は円筒状で、その内側は空洞になっている。
【００１１】
また回動部３には、軸部１３が備わっている。軸部１３の外周部１４は円筒状で、軸受７に摺動回転可能に挿通されている。円筒状の外周部１４の内側には、補強部材を兼ねた一対のビス受１５が設けられている。これらビス受１５間は空洞であり、軸部１３の内部には貫通孔１６が形成されている。
【００１２】
軸部１３のリング１０側の端部にはスポーク板１７が連接されている。スポーク板１７は、またリング１０の内周部１２とも連接されている。つまり、軸部１３とリング１０とがスポーク板１７を介して一連になっており、軸部１３を回転軸としてリング１０を回すことができる。
【００１３】
なお、スポーク板１７にはビス通筒部８を通すための円弧状の穴１８が設けられているので、およそ１８０度の範囲ではリング１０を回してもスポーク板１７とビス通筒部８とが接触しない。つまり、リング１０の（回動部３の）回転範囲は、スポーク板１７の円弧状の穴１８とビス通筒部８とによって規定される。
【００１４】
軸部１３のスポーク板１７に隣接した端部にはねじれコイルバネ１９が装着されている。ねじれコイルバネ１９の一端はスポーク板１７に連結され、他端はリング隣接部６に連結されている。そして、ねじれコイルバネ１９は、回動部３を図１（ｂ）における反時計回り方向に付勢している。
【００１５】
このため、回動部３の回転位置は、これを回動する外力が及ぼされていないときには、ねじれコイルバネ１９の付勢力によって、上述のように規定される回転範囲の上記反時計回り方向の限度（以下、「原点」ともいう）にされる。
【００１６】
従って、回動部３は、原点と上述のように規定される回転範囲の上記時計回り方向の限度（以下、「回転限度」ともいう）との間で時計回り、反時計回りに回動可能である。
軸部１３の他方の端部にはハンドル側ギヤ２０が取り付けられている。ハンドル側ギヤ２０は合成樹脂の成形品で、略円筒状である。
【００１７】
ハンドル側ギヤ２０の内部にはビス止板２１と補強板２２とが設けられている。ハンドル側ギヤ２０は、このビス止板２１を貫通してビス受１５に螺合したビス（図示せず）によって軸部１３に連結されている。また、図示するようにビス受１５と補強板２２とが一連状になり、ハンドル側ギヤ２０の内孔２３と軸部１３の貫通孔１６とが連通する。
【００１８】
ハンドル側ギヤ２０の軸部１３から離れた側の端部外周には、複数のギヤ歯２４が設けられている。なお、ギヤ歯２４が設けられているのは、ハンドル側ギヤ２０の外周のおよそ半周にわたる範囲である。
【００１９】
このハンドル側ギヤ２０（ギヤ歯２４）は、基部５の端部に切欠き状に設けられたギヤ用開放部２５から外部に臨んでいる。そして、ギヤ歯２４はギヤ用開放部２５に入り込んでいるボリューム側ギヤ２７と歯合する。このハンドル側ギヤ２０とボリューム側ギヤ２７との歯合は、回動部３が原点〜回転限度の範囲にある限りは維持される。
【００２０】
ボリューム側ギヤ２７は、図示しない弾球遊技機の本体部に取り付けられるボリュームユニット２８の一部である。ボリューム側ギヤ２７はボリューム２９の軸２９ａに取り付けられている。ボリューム２９は軸２９ａの回転量に応じて抵抗値が変化する周知の可変抵抗である。
【００２１】
リング１０を回すと軸部１３と共にハンドル側ギヤ２０が回り、それに応じてボリューム側ギヤ２７が回るので、リング１０を回すことでボリューム２９の抵抗値が変化する。この変化が例えば電圧の変化として現れる回路を用いれば、リング１０の回動量を電気信号に変換できる。
【００２２】
キャップ４はリング１０を挟んで基筒２とは反対側に位置する。
キャップ４の頂部は、不透明な合成樹脂（例えばＡＢＳ）の成形品である第１殻体３１にて構成され、台部は透光性の合成樹脂（例えばポリカーボネート）の成形品である第２殻体３２にて構成されている。
【００２３】
第１殻体３１の内部にはボス３３が立設されているものの、それ以外は空洞で、第１基板３４を収容している。第１基板３４にはチップタイプの発光ダイオード（ＬＥＤ）３５が実装され、第１基板３４はＬＥＤ３５が実装されている面を第２殻体３２に向ける姿勢で配されている。
【００２４】
第２殻体３２の第１殻体３１側の端部には仕切板３６が設けられており、この端部は仕切板３６によって閉鎖されている。第１基板３４は、仕切板３６に立設されたボスにビス止めされて、仕切板３６すなわち第２殻体３２に取り付けられている。
【００２５】
第２殻体３２の内側には、円錐台の側面を凹曲面にした形状のリフレクタ３７が配されている。リフレクタ３７の裾縁部３８は、第２殻体３２の仕切板３６とは反対側の端部において、第２殻体３２の外側に突出している。リフレクタ３７は表面にクロムメッキされており、裾縁部３８はタッチセンサの検出接点として機能する。
【００２６】
ＬＥＤ３５を点灯すると、その光はリフレクタ３７の側面で反射されて第２殻体３２に入射し、第２殻体３２の外面から放射される。すなわち、ＬＥＤ３５から放射された光がリフレクタ３７によって効率よく第２殻体３２に入射し、これを発光させる。
【００２７】
リフレクタ３７は、頂面３９を仕切板３６に当接させて、また裾縁部３８の片面を第２殻体３２の仕切板３６とは反対側の端面に接触させており、頂面３９を貫通してボス３３に螺合したビス（図示せず）によって第１殻体３１に連結されている。併せて第２殻体３２も第１殻体３１に連結されている。
【００２８】
リフレクタ３７の開放端部４１は円筒状で、裾縁部３８より突出してリング１０の内側に進入している。
この開放端部４１の内側には第２基板４２が配されている。第２基板４２にはチップタイプの発光ダイオード（ＬＥＤ）４３が実装され、第２基板４２はＬＥＤ４３が実装されている面を基筒２に向ける姿勢とされて、図示しないビスによりリフレクタ３７に取り付けられている。ＬＥＤ４３を点灯すると、その光は直接に、又は軸部１３やスポーク板１７等に反射されてリング１０に入射し、リング１０の外面から放射される。
【００２９】
上述のように第１殻体３１〜第２基板４２が相互に連結されてキャップ４としてユニット化されている。
そして、そのキャップ４は、ビス通筒部８に通したビス（図示しない）にてリング隣接部６すなわち基筒２と連結されている。しかし、キャップ４はリング１０（回動部３）とは連結されていないので、回動部３を回動できる。
【００３０】
なお、図示は省略するが発射ハンドル１にはストップスイッチ９、第１基板３４、第２基板４２、裾縁部３８（タッチセンサ）のための配線が備わっている。軸部１３の貫通孔１６及びハンドル側ギヤ２０の内孔２３とが連通して形成される空洞部分は、これらの配線の通路として使用される。
【００３１】
実施例の発射ハンドル１は、リング１０を回動操作されると、その回転変位がリング１０、軸部１３、ハンドル側ギヤ２０、ボリューム側ギヤ２７の経路でボリューム２９に伝えられる。発射ハンドル１が装着された弾球遊技機では、リング１０を回動操作に伴うボリューム２９の抵抗値の変化を電気信号として取り出して、発射装置の発射力の調節に使用する。すなわち、発射装置を操作するために遊技者によって回動操作されるリング１０を備えて弾球遊技機に装着される発射ハンドル１である。
【００３２】
実施例の発射ハンドル１は、リング１０を透光性として、リング１０の内側に発光ダイオード４３を配した構成を採用しているので、遊技者によって回動操作されるリング１０を発光させることができる。リング１０には遊技者の指が掛けられるが指に隠れない部分も多いから、充分な電飾効果が得られる。
【００３３】
また発射ハンドル１は、発光ダイオード４３が実装された第２基板４２がリング１０の内側に配されているので、発射ハンドル１の内部空間を有効に利用できる。しかも、第２基板４２は、発光ダイオード４３が実装されている面を弾球遊技機の本体に向ける姿勢で配されているので、発光ダイオード４３からの光がリング１０の内側に照射されることになる。リング１０の内側に照射された光は、リング１０を透過してリング１０の外面から放射されるので、リング１０のほぼ全面を光らせることができる。
【００３４】
さらに、ＬＥＤ３５を点灯させると、ＬＥＤ３５から放射された光がリフレクタ３７によって効率よく第２殻体３２に入射し、これを発光させる。
【図面の簡単な説明】
【００３５】
【図１】実施例の発射ハンドルの平面図（ａ）、正面図（ｂ）、Ａ−Ａ断面図（ｃ）及び斜視図（ｄ）。
【符号の説明】
【００３６】
１・・・発射ハンドル、
２・・・基筒、
３・・・回動部、
４・・・キャップ、
５・・・基部、
６・・・リング隣接部、
７・・・軸受、
１０・・・リング、
１２・・・内周部、
１３・・・軸部、
１６・・・貫通孔、
１７・・・スポーク板、
１９・・・コイルバネ、
２０・・・ハンドル側ギヤ、
２３・・・内孔、
２７・・・ボリューム側ギヤ、
２８・・・ボリュームユニット、
３１・・・第１殻体、
３２・・・第２殻体、
３４・・・第１基板、
３７・・・リフレクタ、
４１・・・開放端部、
４２・・・第２基板、
４３・・・発光ダイオード。
【図１】
0005220401.tif 000002